(57)【要約】  【課題】  ビス等の固定具を用いることなく複数の回路基板を筺体に固定することができる電気機器を提供することにある。  【解決手段】  その長手方向が上下となる第１の案内部１１，１１及びその長手方向が前後となる第２の案内部１２ａ〜１２ｆ（１２）を有する筺体１と、第１の案内部１１，１１に沿って摺動案内され、第１の接続部２１を有する一の回路基板２と、第２の案内部１２ａ〜１２ｆ（１２）に沿って摺動案内され、第２の接続部３１，４１，５１を有する他の回路基板３，４，５とを備え、第１及び第２の接続部２１，３１，４１，５１が接続されることにより、それぞれの回路基板２，３，４，５が前記案内部に沿って摺動するのを防ぎ、それぞれの回路基板２，３，４，５を筺体１に固定するようにした。【選択図】      図１
2006245060.tif 000002
【特許請求の範囲】
【請求項１】
二枚の回路基板と、該回路基板が支持された筺体とを備える電気機器において、前記筺体は、異なる二方向へ各回路基板を摺動案内して支持する二つの案内部を有しており、各案内部で摺動案内される各回路基板は、互いに接続される接続部を有することを特徴とする電気機器。
【請求項２】
一の回路基板の前記接続部はプラグであり、他の回路基板の前記接続部は前記プラグに嵌合されるレセプタクルである請求項１記載の電気機器。
【請求項３】
前記プラグ及び前記レセプタクルは、前記一の回路基板又は前記他の回路基板が摺動案内される方向で嵌合が可能に対向している請求項２記載の電気機器。
【請求項４】
前記筺体は前記回路基板の前記案内部での動きを規制する規制部を有するカバー体が取着されている請求項１乃至３のいずれかひとつに記載の電気機器。
【発明の詳細な説明】
【技術分野】
【０００１】
本発明は、複数の回路基板が筺体に支持された電気機器に関する。
【背景技術】
【０００２】
回路基板が収容された電気機器の筺体内には、電源用、デジタル処理用、表示制御用等の複数の回路基板、及び該回路基板が搭載されるメイン回路基板が収容支持されており、それぞれの回路基板は前記筺体にビスにより固定されている。  また、複数の回路基板を筺体に固定するビスにアース線が接続されている電気機器も知られている（例えば、特許文献１参照。）。
【特許文献１】実開平５−２３５８０号公報
【発明の開示】
【発明が解決しようとする課題】
【０００３】
ところが、筺体に収容支持される複数の回路基板はそれぞれがビスにより固定されているため、ビスの本数が多く、ビスの管理、ビス用のねじ孔加工及びビスによる固定作業が必要であり、コスト高になると言う問題があった。
【０００４】
本発明は斯かる事情に鑑みてなされたものであり、主たる目的は異なる二方向へ二枚の回路基板を摺動案内して支持する二つの案内部を筺体に設け、各回路基板に、互いに接続される接続部を設けることにより、ビス等の固定具を用いることなく二枚の回路基板を筺体に固定することができる電気機器を提供することにある。
【０００５】
また、他の目的は一の回路基板の接続部をプラグとし、他の回路基板の接続部をレセプタクルとすることにより、プラグをレセプタクルに嵌合して回路基板を筺体に固定することによりそれぞれの回路基板を電気的に接続することができる電気機器を提供することにある。
【０００６】
さらに、他の目的はプラグ及びレセプタクルを、一の回路基板又は他の回路基板が摺動案内される方向で嵌合が可能に対向させることにより、それぞれの回路基板を接続するための接続工程が必要でない電気機器を提供することにある。
【０００７】
また、他の目的は回路基板の案内部での動きを規制する規制部を有するカバー体を筺体に取着することにより、回路基板が案内部でガタ付くのを防ぐことができる電気機器を提供することにある。
【課題を解決するための手段】
【０００８】
本発明に係る電気機器は、二枚の回路基板と、該回路基板が支持された筺体とを備える電気機器において、前記筺体は、異なる二方向へ各回路基板を摺動案内して支持する二つの案内部を有しており、各案内部で摺動案内される各回路基板は、互いに接続される接続部を有することを特徴とする。
【０００９】
本発明にあっては、一の回路基板を一の案内部に沿って摺動させることにより、一の回路基板を筺体に支持することができ、他の回路基板を他の案内部に沿って摺動させることにより、該他の回路基板を筺体に支持することができ、また、一の回路基板及び他の回路基板を接続部により接続することができる。この場合、一の回路基板と他の回路基板とは異なる二方向の案内部に支持されているため、前記接続部が接続されることにより、一の回路基板と他の回路基板とが案内部に沿って摺動するのを防ぐことができ、それぞれの回路基板を筺体に固定することができる。
【００１０】
本発明に係る電気機器は、一の回路基板の前記接続部はプラグであり、他の回路基板の前記接続部は前記プラグに嵌合されるレセプタクルであることを特徴とする。
【００１１】
本発明にあっては、一の回路基板及び他の回路基板を案内部に沿って摺動させ、接続部としてのプラグ及びレセプタクルを嵌合することにより、それぞれの回路基板を電気的に接続することができる。
【００１２】
本発明に係る電気機器は、前記プラグ及び前記レセプタクルは、前記一の回路基板又は前記他の回路基板が摺動案内される方向で嵌合が可能に対向していることを特徴とする。
【００１３】
本発明にあっては、一の回路基板又は他の回路基板が案内部に摺動案内された後で他の回路基板又は一の回路基板を案内部に摺動させることにより、プラグ及びレセプタクルを嵌合することができるため、それぞれの回路基板を接続するための接続工程が必要でなく、組立て作業性をより一層向上できる。
【００１４】
本発明に係る電気機器は、前記筺体は前記回路基板の前記案内部での動きを規制する規制部を有するカバー体が取着されていることを特徴とする。
【００１５】
本発明にあっては、回路基板を筺体に支持した後でカバー体を筺体に取着することにより、回路基板が案内部でガタ付くのを防ぐことができる。
【発明の効果】
【００１６】
本発明によれば、一の回路基板を一の案内部に沿って摺動させ、他の回路基板を他の案内部に沿って摺動させることにより、一の回路基板及び他の回路基板を筺体に支持することができ、しかも、一の回路基板及び他の回路基板を接続部で接続することにより、一の回路基板及び他の回路基板を筺体に固定することができる。
【００１７】
本発明によれば、回路基板を案内部に沿って摺動させ、接続部としてのプラグ及びレセプタクルを嵌合することにより、一の回路基板及び他の回路基板を電気的に接続することができる。
【００１８】
本発明によれば、回路基板を案内部に沿って摺動させることにより、プラグ及びレセプタクルを嵌合することができるため、それぞれの回路基板を接続するための接続工程が必要でなく、組立て作業性をより一層向上できる。
【００１９】
本発明によれば、カバー体の規制部により回路基板の案内部でのガタ付きを防ぐことができる。
【発明を実施するための最良の形態】
【００２０】
以下本発明をその実施の形態を示す図面に基づいて詳述する。図１は本発明に係る電気機器の構成を示す分解斜視図、図２は電気機器のカバー体を取外した状態を示す斜視図である。
【００２１】
図１の電気機器は、垂直方向に配置された第１の案内部１１及び水平方向に配置された第２の案内部１２を有する板金製の筺体１と、第１の接続部２１を有する第１の回路基板２と、第２の接続部３１を有する第２の回路基板３と、第２の接続部４１を有する第３の回路基板４と、第２の接続部５１を有する第４の回路基板５と、筺体１に取着されるカバー体６とを備える。第１の接続部２１及び第２の接続部３１，４１，５１の一方はプラグであり、第１の接続部２１及び第２の接続部３１，４１，５１の他方はプラグに嵌合されるレセプタクルである。
【００２２】
筺体１は、矩形の底壁１ａと、該底壁１ａの後端に連なる後壁１ｂ及び底壁１ａに連なる側壁１ｃとを有する。後壁１ｂにはその長手方向が上下となる凹条の第１の案内部１１が側方に離隔して二つ設けられており、底壁１ａにはその長手方向が前後となり、第１の案内部１１と交差、換言すれば直交する凹条の第２の案内部１２が側方に離隔して六つ設けられている。第１の案内部１１は、側方に離隔した位置で凹条部が対向しており、第１の回路基板２を上下に摺動案内することができるようになっている。
【００２３】
二つの第２の案内部１２ａ，１２ｅは、側壁１ｃの上下位置に平行的に設けられており、他の四つの第２の案内部１２ｂ，１２ｃ，１２ｄ，１２ｆは、底壁１ａに立設された支持体１３に上下及び側方に離隔して設けられている。支持体１３は凹形板部１３ａ及び該凹形板部１３ａから垂下された脚部１３ｂを有する。凹形板部１３ａの一側上部に二つの第２の案内部１２ｂ，１２ｃが反対向きで設けられており、凹形板部１３ａの他側上部に一つの第２の案内部１２ｄが設けられており、脚部１３ｂの上下中間部に一つの第２の案内部１２ｆが設けられている。第２の案内部１２ａ，１２ｂは底壁１ａからの高さが等しくなる位置で側方に対向し、第２の回路基板３を水平方向へ摺動案内することができるようになっており、第２の案内部１２ｃ，１２ｄは底壁１ａからの高さが等しくなる位置で側方に対向し、第３の回路基板４を水平方向へ摺動案内することができるようになっており、第２の案内部１２ｅ，１２ｆは底壁１ａからの高さが等しくなる位置で側方に対向し、第４の回路基板５を水平方向へ摺動案内することができるようになっている。
【００２４】
第１の回路基板２は、絶縁板に積層された導電層に配線パターンを有する矩形をなしており、前記導電層に電気的に接続された複数（七つ）の第１の接続部２１と、アース端子２２とが設けられており、該アース端子２２にアース線７が接続される。
【００２５】
第２の回路基板３は、絶縁板に積層された導電層に配線パターンを有する矩形をなしており、前記導電層に電気的に接続された複数（三つ）の第２の接続部３１が設けられている。
【００２６】
第３の回路基板４は、絶縁板に積層された導電層に配線パターンを有する矩形をなす基板本体にＩＣ（集積回路），ＬＳＩ（大規模集積回路）等の電子部品が搭載され、該電子部品が外囲器で外囲されており、さらに、基板本体の一辺部に、前記導電層に電気的に接続された第２の接続部４１が設けられている。
【００２７】
第４の回路基板５は、絶縁板に積層された導電層に配線パターンを有する矩形をなす基板本体にＩＣ（集積回路），ＬＳＩ（大規模集積回路）等の電子部品が搭載され、該電子部品が外囲器で外囲されており、さらに、基板本体の一辺部に、前記導電層に電気的に接続された複数（三つ）の第２の接続部５１が設けられている。
【００２８】
第１の接続部２１及び第２の接続部３１，４１，５１は、第２の回路基板３，４，５が摺動案内される方向で嵌合が可能に対向しており、第１の回路基板２が第１の案内部１１，１１に摺動案内された後で第２〜第４の回路基板３〜５が第２の案内部１２ａ〜１２ｆに摺動案内されることによりプラグ及びレセプタクルが嵌合するように構成されている。
【００２９】
カバー体６は、矩形の天壁６ａと、該天壁６ａの前端に連なる前壁６ｂ及び天壁６ａに連なる側壁６ｃとを有する。天壁６ａの内側で、第１の回路基板２と対向する位置には、回路基板２の案内部１１での動きを規制し、回路基板２のガタ付きを規制する凹条の規制部６１が設けられている。また、前壁６ｂの内側で、第２〜第４の回路基板３，４，５と対向する位置には、各回路基板３，４，５の案内部１２での動きを規制し、回路基板３，４，５のガタ付きを規制する凹条の規制部６２，６３，６４が設けられている。尚、カバー体６の適宜の箇所には小ねじ挿通用の複数の貫通孔が設けられており、この貫通孔に対応するねじ孔が筺体１に設けられている。
【００３０】
以上のように構成された電気機器を組み立てる場合、図１に示すように第１の回路基板２を筺体１の上方から第１の案内部１１，１１に嵌入し、第１の案内部１１，１１に沿って下方へ摺動案内することにより、第１の回路基板２の下端が底壁１ａに当接し、第１の回路基板２を第１の案内部１１，１１に支持することができる。
【００３１】
この後、第２の回路基板３を筺体１の前方から第２の案内部１２ａ，１２ｂに嵌入し、第２の案内部１２ａ，１２ｂに沿って後方へ摺動案内することにより、第２の接続部３１が第１の接続部２１に当接し、第２の回路基板３を摺動案内方向へ押圧することによりプラグ及びレセプタクルが嵌合され、第１及び第２の接続部２１，３１を接続することができ、第１及び第２の回路基板２，３が案内部１１，１２に沿って摺動するのを防ぐことができ、第１及び第２の回路基板２，３を相互に固定することができる。
【００３２】
また、第３の回路基板４を筺体１の前方から第２の案内部１２ｃ，１２ｄに嵌入し、第２の案内部１２ｃ，１２ｄに沿って後方へ摺動案内することにより、第２の接続部４１が第１の接続部２１に当接し、第３の回路基板４を摺動案内方向へ押圧することによりプラグ及びレセプタクルが嵌合され、第１及び第２の接続部２１，４１を電気的に接続することができ、第１及び第３の回路基板２，４が案内部１１，１２に沿って摺動するのを防ぐことができ、第１及び第３の回路基板２，４を相互に固定することができる。
【００３３】
さらに、第４の回路基板５を筺体１の前方から第２の案内部１２ｅ，１２ｆに嵌入し、第２の案内部１２ｅ，１２ｆに沿って後方へ摺動案内することにより、第２の接続部５１が第１の接続部２１に当接し、第４の回路基板５を摺動案内方向へ押圧することによりプラグ及びレセプタクルが嵌合され、第１及び第２の接続部２１，５１を接続することができ、第１及び第４の回路基板２，５が案内部１１，１２に沿って摺動するのを防ぐことができ、第１及び第４の回路基板２，５を相互に固定することができる。
【００３４】
以上のように回路基板２，３，４，５を筺体１に支持した後、筺体１の開放部にカバー体６を被嵌し、該カバー体６の内側に設けられた規制部６１を第１の回路基板２の上縁部に当接させ、さらに、カバー体６の内側に設けられた規制部６２，６３，６４を第２〜第４の回路基板３，４，５の前縁部に当接させた状態で挿通孔に挿通する小ねじを筺体１のねじ孔に緊締することによりカバー体６を筺体１に取着する。このカバー体６の取着により第１の回路基板２を底壁１ａ及び規制部６１の間で挾着して固定することができ、回路基板２の案内部１１でのガタ付きを防ぐことができる。また、第２〜第４の回路基板３，４，５を第１の接続部２１及び規制部６２，６３，６４の間で挾着して固定することができ、回路基板３，４，５の案内部１２でのガタ付きを防ぐことができる。
【００３５】
尚、以上説明した実施の形態では、回路基板２，３，４，５を上下方向と、前後方向とに摺動案内するように構成したが、その他、回路基板２，３，４，５を横方向と前後方向とに摺動案内するように構成してもよく、異なる二方向へ摺動案内する方向は特に制限されない。また、一方向へ摺動案内する回路基板３，４，５を三つとしたが、この一方向へ摺動案内する回路基板の個数は特に制限されない。また、第１及び第２の回路基板２，３は接続部２１，３１を備える構成とし、第３及び第４の回路基板４，５は、電子部品及び接続部４１，５１を備える構成としたが、その他、第１〜第４の回路基板２，３，４，５の構成は特に制限されない。
【００３６】
また、第１及び第２の案内部１１，１２は連続する凹条としたが、その他、複数の凸部が間歇的に配置されることにより凹条となるように構成してもよく、また、摺動案内方向の複数の位置に凹形部を有する構成としてもよく、第１及び第２の案内部１１，１２の形状は特に制限されない。
【００３７】
また、以上説明した実施の形態では第１の回路基板２と、第２〜第４の回路基板３，４，５とを接続する手段としてプラグ及びレセプタクルを用いたが、その他、プラグ及びレセプタクルとは別個の接続手段を備える構成とし、この接続手段により第１の回路基板２と、第２〜第４の回路基板３，４，５とを接続してもよい。
【図面の簡単な説明】
【００３８】
【図１】本発明に係る電気機器の構成を示す分解斜視図である。
【図２】本発明に係る電気機器のカバー体を取外した状態を示す斜視図である。
【符号の説明】
【００３９】
１    筺体
１１  第１の案内部
１２  第２の案内部
２，３，４，５  回路基板
２１  第１の接続部（プラグ及びレセプタクルの一方）
３１，４１，５１  第２の接続部（プラグ及びレセプタクルの他方）
６    カバー体
６１，６２，６３，６４  規制部
【図１】
2006245060.tif 000003
【図２】
2006245060.tif 000004